(57)【要約】【課題】  保持対象物を保持する保持装置は、地震や衝撃でも外れにくくするほど、圧入など厳しい嵌め合い構造になり、装置部分を見ないで保持対象物を着脱することは困難でした。着脱は容易にできて外れにくい保持装置の、部品構造が課題です。【解決手段】  断面が略長方形の板片(Rg)がある第一保持部品(R )と、前記板片(Rg)が中に入る空間を形成する抜け留め板(Js)と端板(Je)と突起(Jp)とを含む構造の第二保持部品(J )とを構成に含む保持装置は、保持面と保持対象物を設定角度(θ)傾けて、傾けた方向へ移動させなければ着脱できない構造で、着脱は容易にできて地震や衝撃では外れにくい構造です。【選択図】      図１
0003131793.tif 000002
【実用新案登録請求の範囲】
【請求項１】
二部品構成の保持装置の部品であって、前記部品は、断面略長方形の板片(Rg)
が間隔をあけて保持面または保持対象物に固着されるか形成されている第一保持
部品(R )と、前記板片(Rg)が入る空間を形成する、抜け留め板(Js)と端板(Je)と
突起(Jp)とを有し、保持面または保持対象物に固着されるか形成されている第二
保持部品(J )とであり、
"前記第一保持部品(R )は、保持面または保持対象物と、前記板片(Rg)を間隔をあ
けて保持する手段を有する構造で、
前記第二保持部品(J )は、固着される場合は
保持面または保持対象物に固着できるベース板(Jb)から、また形成されている場
合は直接保持面または保持対象物から、前記端板(Je)と前記突起(Jp)とが前記板
片(Rg)断面の長辺以上の間隔をあけて突き出しており、"
前記端板(Je)は、前記板片(Rg)断面の短辺より長く突き出し、前記抜け留め板
(Js)が前記端板(Je)の先端から前記突起(Jp)側へ前記板片(Rg)断面の長辺より短
い長さ折れ曲がり、前記突起(Jp)は前記板片(Rg)断面の短辺より短く突き出し、
保持面と保持対象物とが設定角度(θ)傾いたとき、前記板片(Rg)が前記空間に出
入りできる構造である、第一保持部品(R )と第二保持部品(J )。
【考案の詳細な説明】
【技術分野】
【０００１】
本考案は二部品構成の保持装置の部品であって、保持対象物の着脱は容易にで
きて地震や衝撃では外れにくい保持装置を構成する部品の構造に関します。
【背景技術】
【０００２】
鉛直面保持装置の代表である従来の壁掛装置は、装着面上に固着したフック機
能部材に保持対象物背面に固定した掛け紐を掛けて、また、前記フック機能部材
に保持対象物背面上部にある穴や切欠きの下端点を掛けて、また、装着面と保持
対象物背面上部に固着した二部品構成の嵌め合い構造の壁掛装置で、保持対象物
を保持しています。保持対象物背面にある二部品構造の保持装置は、圧入など厳
しい嵌め合い構造が多く、着脱が困難なためあまり利用されていません。
【０００３】
下記[特許文献１]は嵌め合い構造の二部品構成からなる壁掛装置で、平板の左
右中央にある台形形状の固定部で固定したＭ部品に、左右が逆Ｕ字形状に折り返
され、中央が台形形状に切欠かれているＦ部品を前記平板と取付面との間に差し
込み、嵌め合わせる構造です。前後は板厚と隙間との嵌め合い構造で、嵌め合い
代が長いと保持対象物は傾きませんが、保持対象物背面には指も入らず、見ない
で導入口を嵌め合わせることは困難な構造です。
【０００４】
壁掛装置に限らず、二部品構成で左右位置で嵌め合せて保持する構造を含む保
持装置はいろいろ提案されています。着脱を容易にするために、左右方向には傾
斜面がある構造もありますが、前後方向は薄い保持装置ほど着脱が困難です。ま
た、外部からの力に対して動かないように固定し、抜け留め対策と、がたつきを
なくすために、嵌め合いの部分または近くに圧入や圧接の構造を有していて、圧
入や圧接は着脱を困難にしています。
下記[特許文献２]は、連結できる構造を有する物品保持具で、複数の縦部材と
横部材と保持部材とで構成され、縦横部材の連結や、保持部材の取付部分に、挿
入片を断面リップ溝形の挿入溝に差し込む構造です。連結部分には嵌合突起と嵌
合穴との嵌め合いがあり、がたつきを防止して抜け留めになっていますが、保持
部材は挿入しているだけなので抜けやすい構造です。いずれの場合でも、装置部
分を見ないで容易に着脱できる構造ではありません。
【０００５】
下記[特許文献３]は、壁掛けラックの支持構造で、壁面に接する固定片と隙間
をあけて手前左右にあるひれ片とで構成する引掛け具に、壁掛けラックの裏面か
ら突設した横片と左右両端にある縦片に設けた縦方向の突起部を、前記ひれ片に
圧接させて保持する構造です。がたつきを前後の圧接でなくしているため、圧接
が着脱を困難にしています。また、重量物を置く可能性もあるラックを小さな面
積の部品で支持しており、衝撃で破損しない部品強度が必要です。
【０００６】
凹み形状が中央にあり、両側に取り付け用のツバ面があり、鉛直な木壁へ前記
ツバ面をネジ止め固定して前後隙間を形成する第一薄板金具と、前記隙間に差し
込める厚さと幅の部分があり、間隔をあけて額縁に取り付けられるように略Ｊ字
形状をした、第二薄板金具とで構成された「差し込みフック」という壁掛装置が
あります。圧入や圧接構造はなく、簡単な構造で作りやすい二部品構成の壁掛装
置ですが、次の問題点があります。
第一薄板金具は左右二箇所で固定する構造のため、水平な二箇所で固定しないと
、額縁が左右に傾いて修正する手段がありません。また、第二薄板金具は下方の
上下二箇所で固定する構造のため、外から見えないように固定しようとすると、
額縁の外枠ではなく裏板に固定する位置になり、ネジ釘を使うと内部にある作品
にキズをつける可能性があり、額縁を保持する強度が保証できません。
重量支持は第一薄板金具の板厚と第二薄板金具の曲面曲げされた下端との線接触
で、がたつきがあり、装着状態で額縁の下端は前後に動かせるので、壁掛装置を
見ながらであれば着脱は容易ですが、上方へは外れやすく、見ないで前記隙間に
差し込むのは困難な構造です。また、薄板などで装着位置の木壁の保持強度が不
十分な場合には、補強できる手段がありません。
【０００７】
下記[特許文献４]は、左右に抜け留め機能のツバがあるフック機能部品と、掛
け紐と、保持対象物の背面上部にある保持部材と、保持対象物の背面下部にある
間隔保持部材とで構成される、着脱が容易で前後に傾かない壁掛装置です。保持
対象物背面の上下の離れた位置で等しい隙間間隔を保持して、前後に傾かない状
態を保持します。本考案の突起(Jp)がないので、上方へは外れやすい構造です。
前記ツバの板厚が保持部材の隙間間隔に入って嵌め合い構造にみえますが、従来
の二部品構成の壁掛装置とは違い、保持状態でも保持対象物の背面下端に指を入
れられる寸法関係で、容易に着脱できる構造が特長です。地震などで上方から外
れやすい構造ではありますが、掛け紐があり、万一保持部材が外れても保持対象
物の落下を防止します。
【０００８】
参照した特許文献
【特許文献１】フランス特許公開ＦＲ２４２２３６９Ａ（Profiver）:「Dispositif de fixation pour miroirs,tableaux,ou analogues」
【特許文献２】特開２００２−８５２４３：「物品保持具」
【特許文献３】特開２００３−３７４：「壁掛けラックの支持構造」
【特許文献４】実用新案登録第３１２６１４８号：「壁掛装置の部品構成」
【考案の開示】
【考案が解決しようとする課題】
【０００９】
従来の二部品構成の壁掛装置は嵌め合い構造になっており、装着面に沿って着
脱されます。地震や衝撃でも外れにくくするために、アリ溝を含めた圧入や圧接
構造を併用しており、装着面と保持対象物との隙間を狭くするほど着脱は困難に
なります。圧入や圧接構造を用いなくても、地震や衝撃で外れにくく、着脱は容
易にできる保持装置の、部品構造が課題です。
【課題を解決するための手段】
【００１０】
容易に装着できる壁掛装置は、装着の方向へは容易に外れます。通常は重力が
作用して外れませんが、地震や衝撃では重力とは反対方向の力も発生します。保
持面と保持対象物とが設定された角度傾いたときに着脱できる構造にすれば、保
持面と保持対象物との隙間が狭くても容易に着脱でき、保持対象物が設定された
角度になった瞬間に、引き抜く方向の力がかかる可能性は極めて低く、着脱は容
易にできて外れにくい構造の保持装置になります。
【００１１】
保持面と保持対象物とにそれぞれある、第一保持部品(R )と第二保持部品(J )
とで構成される保持装置は、容易に着脱できて外れにくい保持装置です。前記第
一保持部品(R )は断面略長方形の板片(Rg)が間隔をあけて保持面または保持対象
物に固着されるか形成されており、前記第二保持部品(J )は前記板片が入る空間
を形成する、抜け留め板(Js)と端板(Je)と突起(Jp)とを有し、保持面または保持
対象物に固着されるか形成されています。
前記二つの保持部品は保持面と保持対象物のどちらにあってもよく、[図１−１〜
４]は、第一保持部品(R )が保持対象物側で、第二保持部品(J )が保持面側、[図
１−５〜８]は、第二保持部品(J )が保持対象物側で、第一保持部品(R )が保持面
側に配置されています。保持面が鉛直の場合は端板(Je)で重量を支持するため、
保持部品の上下が逆になり、保持対象物を傾ける方向も異なりますが、どちら側
へも配置できます。
【００１２】
第一保持部品(R )は、固着される場合は保持面または保持対象物に固着する固
定手段部(Rx)の厚さ間隔をあけて、また、形成されている場合は第二保持部品の
抜け留め板(Js)の挿入を妨げない位置で間隔を保持して、前記板片(Rg)がある構
造です。
第二保持部品(J )は、固着される場合は保持面または保持対象物に固着できる
ベース板(Jb)から、また形成されている場合は直接保持面または保持対象物から
、前記端板(Je)と前記突起(Jp)とが前記板片(Rg)断面の長辺以上の間隔をあけて
、前記板片(Rg)断面の短辺より、前記突起(Jp)は短く突き出し、前記端板(Je)は
長く突き出し、前記抜け留め板(Js)が前記端板(Je)の先端から前記突起(Jp)側へ
、前記板片(Rg)断面の長辺より短い長さ折れ曲がっています。
【００１３】
前記板辺(Rg)が前記空間に出入りできるように、前記抜け留め板(Js)と前記突起
(Jp)とは連続しないで隙間があり、保持面と保持対象物が設定角度(θ)傾いたと
き、前記板片(Rg)が前記隙間から前記空間に出入りでき、保持面と保持対象物が
平行な保持状態では、保持面に直角や平行な方向へ移動させて前記空間に出入り
できない構造です。また、前記空間は中にある前記板片(Rg)を設定した角度に傾
けられる大きさがあり、圧入や圧接構造ではありません。
【００１４】
前記突起(Jp)があるために、前記空間の中にある前記板辺(Rg)は、保持面に平
行な方向へ移動できません。設定角度(θ)に前記板片(Rg)を傾ければ、前記角度
の方向へ移動できます。前記板片(Rg)が傾かなければ、前記角度(θ)の方向へ移
動できませんし、前記板片(Rg)が傾いても、保持面に直角や平行な方向へは移動
できません。地震や衝撃などで前記条件を満たす可能性は極めて少なく、保持対
象物が外れにくい構造です。
【考案の効果】
【００１５】
本考案の保持装置の構成部品は、圧入や圧接構造ではなく、保持面と保持対象
物が設定された角度になったときに着脱できる構造です。保持状態でも保持面に
対して保持対象物を傾けることができ、保持面と保持対象物との隙間が狭くても
容易に着脱できます。地震や衝撃などで、保持対象物が設定された角度になり、
さらに外す方向の力がかかる可能性は極めて少ないので、着脱は容易にできて外
れにくい構造です。
【００１６】
本考案の保持装置の部品を使えば、鉛直面に限らず水平面や傾斜面でも保持で
きます。一時的に掛けたり置いたりする場合でも、動いたり倒れたりしては困る
場合が多くあります。容易に着脱できて外れにくい本考案の保持部品を活用すれ
ば、保持対象物が動いたり倒れたりしないように保持でき、着脱は容易にできま
す。
【００１７】
また、本考案の保持装置は傾けなければ外れないので、離れた位置でロック機
構を併用することができます。この場合、保持部品が抜けないようにロックする
のではなく、設定角度に傾かないようにロックすればよいので、薄くて簡単なロ
ック機構で、動いたり倒れたりしないようにロックできます。
【考案を実施するための最良の形態】
【００１８】
[図３]は本考案の保持部品(RH)・(JS)を利用した壁掛装置への応用例で、着脱
は容易にできて外れにくく、前後左右に傾かない壁掛装置です。上方で一端を固
定した線部材(FH)に連結固定して、壁面(Ｗal)にピン(PN)で抜け留め固定してい
る、第一保持部品(RH)と、第一位置決め保持部品(SR)とを壁面に設置し、保持対
象物の上端中央に第二保持部品(JS)と、下端中央に第二位置決め保持部品(CS)と
をネジ止め固定して構成しています。
【００１９】
第一保持部品(RH)は、[図２−２]に示すように、上方で一端を固定した線部材
(FH)に、固定手段部(Rx)で連結固定して壁面にピン(PN)で抜け留め固定されてい
ます。壁面と間隔をあけて平行に固定される板片のツバ(Rg)が左右にあり、中央
部には上方へ突き出た位置決め板(Rr)がある構造です。
【００２０】
第二保持部品(JS)は、[図２−１]に示すように、保持対象物と接触して固定手
段部(Jx)でネジ(SC)止め固定されるベース板(Jb)と、前記ツバ(Rg)の厚みを挟ん
で対向している、前記ツバ(Rg)の半分の高さの抜け留め板(Js)と、前記抜け留め
板の上端とベース板とをつなぐ端板(Je)と、前記ツバ(Rg)が保持対象物に沿って
移動するのを妨げ、設定角度(θ)に前記ツバ(Rg)を傾ければ移動できる高さの突
起(Jp)とを有して、前記ツバ(Rg)が入る空間を形成している構造です。
【００２１】
前後寸法は、[図１]において、ツバ(Rg)の板厚(tR)が２mm、ベース板(Jb)と抜
け留め板(Js)との隙間間隔(gJ)が３mm、抜け留め板(Js)の板厚(tJ)が２mm、固定
手段部(Rx)部分の厚さが３mm、ツバ(Rg)の高さが１０mm、端板(Je)と突起(Jp)と
の高さ間隔が１０．２mm、また突起(Jp)の突き出し量(pJ)は２mmです。左右寸法
は、位置決め板(Rr)の左右幅(wr)が１９mm、端板(Je)の左右幅(we)が２０mmとな
っており、圧入や圧接寸法はありません。
上記寸法では、前記ツバ(Rg)とベース板(Jb)とを角度(θ)１３°傾ければ前記空
間に出し入れすることができます。前記角度は着脱のときに壁面に対して保持対
象物を傾ける角度です。前記突起(Jp)があるために、従来の構造と比べて地震な
どでは容易に外れない構造になっています。
【００２２】
第一位置決め保持部品(SR)は、[図３−１]に示すように、上方で一端を固定し
た線部材(FH)に連結固定して、壁面(Ｗal)にピン(PN)で抜け留め固定されていま
す。壁面と間隔をあけて固定される板片が中央にある構造で、前記板片の左右端
が接触して左右位置を規制し、前記板片の前面が接触して前後位置を規制します
。
【００２３】
第二位置決め保持部品(CS)は、[図３−３]に示すように、保持対象物にネジ止
め固定され、前記第一位置決め保持部品(SR)の前記板片と接触して、保持対象物
の前後左右の位置を規制します（楕円内の接触部分図を参照）。前述の保持部品
(RH)・(JS)と離れた位置にある保持対象物の上下端で前後左右の位置が規制され
ますので、従来の一対の部品で前後左右の位置を規制する壁掛装置ほど、頑強な
部品強度は要求されません。
第一・第二位置決め保持部品(SR)・(CS)の接触する部分を軽圧入寸法にすれば
、保持はさらに確実になります。
【実施例１】
【００２４】
[図４]は地面や床に立てた支柱や置物の倒れ防止装置で、本考案の第一・第二
保持部品(RS)・(JI)と、第一・第二位置決め保持部品(SS)・(CI)を使用して支柱
や置物を保持する実施例です。[図４−１]には側方と上方から見た倒れ防止装置
の構造図を示します。支柱の下端にある第一ベース板(BO)と、地面や台など水平
上面に設置される第二ベース板(BI)の角部二箇所に第一・第二保持部品(RS)・
(JI)と、対辺側中央部には第一・第二位置決め保持部品(SS)・(CI)が配置されて
います。
【００２５】
従来の支柱は、[図４−３]に示すように下端部に水や砂を入れるタンクを持っ
ており、重心の位置を下げて支柱が倒れないよう保持していましたが、移動のた
びに水や砂を入れたり抜いたりする作業は大変でした。移動が多い物干し台や、
毎日出し入れする商店街ののぼり立てのタンクは空のままです。容易に着脱でき
て倒れない安全な支柱立てではありませんでした。
【００２６】
本考案の第一・第二保持部品を使用した構成の倒れ防止装置は、支柱の下端に
ある第一ベース板(BO)の一つの端部中央に第一位置決め保持部品(SS)がネジ止め
され、離れた端部の角部二箇所に、第一保持部品(RS)がネジ止めされています。
地面や床に固着される第二ベース板(BI)の一つの端部中央に第二位置決め保持部
品(CI)が形成されて、離れた端部の角部二箇所に第二保持部品(JI)が形成されて
いる構成です。
【００２７】
装着手順は、支柱を設定角度(θ)に傾けて手で持って、二つの第一保持部品
(RS)を第二保持部品(JI)に差し込みます。支柱を鉛直状態にすれば、離れた端部
の中央にある、第一位置決め保持部品(SS)と第二位置決め保持部品(CI)が嵌め合
って、前後左右の位置が規制され、保持状態になります。外すときは、設定角度(
θ)に傾けて引き出します。
【００２８】
支柱の倒れ防止装置の実施例として説明しましたが、机や棚に置くものでも重
心が高くて倒れては困る花瓶やグラスや、落下して破損しては困る高価な骨董品
やガラスや陶磁器など、水平上面で動かないように保持したい保持対象物は身の
回りに多くあります。また底面積の小さい物や細かな物は、位置決め保持部品を
用いないで第一・第二保持部品だけでも十分機能します。
【００２９】
第二ベース板(BI)を工夫すれば、一つ一つとり外したり運んだり大変だった作業
を、前記ベース板毎にまとめて動かすことができます。同一商品を並べて陳列し
ている場合など、大変に便利です。着脱が容易で外れない本考案の保持装置の部
品は、さまざまな利用分野で応用できます。
【産業上の利用可能性】
【００３０】
容易に着脱できて外れにくい本考案の保持装置はさまざまな分野で利用でき、
壁掛装置に代表される鉛直面保持装置、水平下面係止装置、倒れ防止装置、吊下
げ保持装置、拡張テーブルへの応用など、他の分野でも利用できます。ある角度(
θ)に傾けて着脱が可能になる構造は、簡易なキーの役目もでき、応用分野はさら
に広がるものと思われます。
【図面の簡単な説明】
【００３１】
【図１】本考案の保持部品の基本構造部分の側断面図と装着保持図[１]  保持対象物に固着した第一保持部品(R )の基本構造部分の側断面図[２]  保持面に固着した第二保持部品(J )の基本構造部分の側断面図[３]  保持面に固着した第二保持部品(J )に第一保持部品(R )を装着する側断面図[４]  保持面に固着した第二保持部品(J )で第一保持部品(R )を保持した状態の側断面図[５]  保持対象物に固着した第二保持部品(J )の基本構造部分の側断面図[６]  保持面に固着した第一保持部品(R )の基本構造部分の側断面図[７]  保持面に固着した第一保持部品(R )に第二保持部品(J )を装着する側断面図[８]  保持面に固着した第一保持部品(R )で第二保持部品(J )を保持した状態の側断面図
【図２】本考案の保持部品の一実施例を示す部品固着図と装着保持図[１]  保持対象物の上端部にネジ止め固着した第二保持部品(JS)の側断面図と正面図[２]  保持面上で連結固定と抜け留め固定した第一保持部品(RH)の側断面図と正面図[３]  保持面上で連結固定した第一保持部品(RH)に第二保持部品(JS)を装着する側断面図[４]  保持面上で連結固定した第一保持部品(RH)で第二保持部品(JS)を保持した側断面図
【図３】本考案の保持部品を使った壁掛装置への応用例[１]  連結保持部品(RH)を設置した壁面(Ｗal)に額縁(Ｏbj)装着の様子を側面から見た図[２]  連結保持部品(RH)・(SR)を設置した壁面に額縁を保持した状態を側面から見た図[３]  連結保持部品(RH)・(SR)を設置した壁面に額縁を装着する様子を正面から見た図
【図４】本考案の保持部品を使った倒れ防止装置への応用例[１]  側方と上方から見た倒れ防止装置部分の構造図[２]  倒れ防止装置で固定した支柱を側方から見た図[３]  従来のタンク付き支柱を側方から見た図
【符号の説明】
【００３２】
BO：保持対象物に固着される第一ベース板
BI：保持面に固着される第二ベース板
CI：(S )と嵌め合って位置を規制する、保持面に直接形成された第二位置決め保
持部品
CS：(S )と嵌め合って位置を規制する、ビス止め固定した第二位置決め保持部品
FH：上方で一端を固定されたワイヤや紐など連結線部材
gJ：Rgの板厚が入る隙間間隔
gR：Jsの板厚が入る隙間間隔
J ：JsとJeとJpとを有し、保持面または保持対象物にある第二保持部品
Jb：J*が固着される場合は保持面または保持対象物に固着できるベース板
Je：Jsの端にありJbとJsを繋いでいる端板
JI：JsとJeとJpとを、保持面または保持対象物に直接形成した第二保持部品
Jp：Jbまたは保持面または保持対象物から、Rgの断面短辺より短く突き出してい
る突起
Js：Jeの先端からJp側へRgの長辺より短い長さ折れ曲がっている抜け留め板
JS：ネジ(SC)止めされる第二保持部品
Jx：第二保持部品の固定手段部
Ｏbj：額縁など保持対象物
pJ：Jpの突出量
PN：ピン
R ：Rgを有する第一保持部品
Rg：間隔をあけて保持面または保持対象物にある断面略長方形の板片
RH：上方で一端を固定された連結線部材(FH)に連結固定する第一保持部品
Rr：左右の位置を規制するための位置決め板
RS：保持面または保持対象物にビス止め固定される第一保持部品
Rx：第一保持部品の固定手段部
SC：木ネジやビスなどのネジ類
SR：(C )と嵌め合って位置を規制する、線部材(FH)に連結固定した第一位置決め
保持部品
SS：(C )と嵌め合って位置を規制する、ビス止め固定した第一位置決め保持部品
tJ：第二保持部品の抜け留め板の板厚
tR：第一保持部品の板片の板厚
Ｗal：壁面など鉛直保持面
we：左右の端板間の距離
wr：位置決め板の左右端の距離
θ：板片(Rg)が第二保持部品の空間内へ出入りできる角度
【図１】
0003131793.tif 000003
【図２】
0003131793.tif 000004
【図３】
0003131793.tif 000005
【図４】
0003131793.tif 000006